(57)【要約】【課題】商品又はサービスの発注検討者が望む商品情報又はサービス情報を、よりメリットがある形にすることができるコンシェルジュシステムを提供する。【解決手段】第１のコンシェルジュ端末と第２のコンシェルジュ端末とを備え、商品又はサービスの発注検討者から通信回線を通じて寄せられた問合せ時における前記発注検討者の通信内容に基づき、第１のコンシェルジュ端末が、通信内容に対応する第２のコンシェルジュ端末の提供分野情報及びアクセス情報を抽出し、商品又はサービスにおいて適用できる特典情報を第２のコンシェルジュ端末に照会する。その後、第２のコンシェルジュ端末から発注検討者端末に、商品情報又はサービス情報が送信される。【選択図】図１
2019040298.tif 000002
【特許請求の範囲】
【請求項１】
商品又はサービスの発注検討者から通信回線を通じて寄せられた問合せ時における前記発注検討者の通信内容に基づき、商品情報又はサービス情報を通信回線を通じて前記発注検討者に提供するコンシェルジュシステムであって、
前記発注検討者の発注検討者端末と通信回線を通じて通信可能に接続されている第１のコンシェルジュ端末と、第１のコンシェルジュ端末と通信回線を通じて通信可能に接続されており、前記商品又はサービスに関する商品情報又はサービス情報を提供可能な第２のコンシェルジュ端末とを備え、
第１のコンシェルジュ端末は、第２のコンシェルジュ端末が提供可能な商品又はサービス分野の提供分野情報と、第２のコンシェルジュ端末に接続するためのアクセス情報と、前記発注検討者が受けられる特典情報とを有しており、前記通信内容に対応する第２のコンシェルジュ端末の提供分野情報及びアクセス情報を抽出する抽出手段と、該特典情報のうち、前記商品又はサービスにおいて適用できる特典情報を第２のコンシェルジュ端末に照会する照会手段とを備えていることを特徴とするコンシェルジュシステム。
【請求項２】
通信回線が電話網又はインターネット網を含む請求項１記載のコンシェルジュシステム。
【請求項３】
第２のコンシェルジュ端末が２以上であり、提供分野情報が、１又は２以上の商品分野と、１又は２以上のサービス分野とを少なくとも含む請求項１又は２に記載のコンシェルジュシステム。
【請求項４】
特典情報が、割引情報を含む請求項１〜３のいずれかに記載のコンシェルジュシステム。
【請求項５】
アクセス情報が、電話番号又はメールアドレスを含む請求項１〜４のいずれかに記載のコンシェルジュシステム。
【請求項６】
第１のコンシェルジュ端末がコンシェルジュサービス業者のものであり、第２のコンシェルジュ端末が商品販売業者又はサービス業者のものであり、コンシェルジュサービス業者と商品販売業者又はサービス業者とは加盟店契約をしており、商品販売業者又はサービス業者がコンシェルジュサービスを行う請求項１〜５のいずれかに記載のコンシェルジュシステム。
【請求項７】
第１のコンシェルジュ端末がコンシェルジュサービス業者のものであり、発注検討者が、会員登録したコンシェルジュサービス業者の会員である請求項１〜６のいずれかに記載のコンシェルジュシステム。
【請求項８】
特典情報が、会員の特典情報を含む請求項７記載のコンシェルジュシステム。
【発明の詳細な説明】
【技術分野】
【０００１】
本発明は、商品又はサービスの発注検討者に商品情報又はサービス情報を提供するコンシェルジュシステムに関する。
【背景技術】
【０００２】
従来のコンシェルジュシステムとしては、例えば、特許文献１記載の案内情報表示装置などが挙げられる。特許文献１記載の案内情報表示装置は、案内メニューに従って、発注する仕組みとなっており、近年においては、使用言語なども選択可能なコンシェルジュシステムが検討されている（特許文献２）。しかしながら、このような案内情報を選択するシステムでは、商品又はサービスの情報が予め決められたものとなり、商品又はサービスの発注検討者の選択に制限がかかってしまい、さらに、その利用も限られており、あまりメリットのあるものでもなかった。そのため、あらかじめ用意された商品情報やサービス情報を選択するものではなく、さらに、ネット検索などで得られる情報よりも発注検討者にメリットのあるコンシェルジュシステムが求められていた。
【先行技術文献】
【特許文献】
【０００３】
【特許文献１】特開２０１０−２０４６５号公報
【特許文献２】特開２０１５−５６０８０号公報
【発明の概要】
【発明が解決しようとする課題】
【０００４】
本発明は、商品又はサービスの発注検討者が望む商品情報又はサービス情報を、よりメリットがある形にすることができるコンシェルジュシステムを提供することを目的とする。
【課題を解決するための手段】
【０００５】
本発明者らは、上記目的を達成すべく鋭意検討した結果、第１のコンシェルジュ端末と第２のコンシェルジュ端末を設けて、第１のコンシェルジュ端末が、商品又はサービスの発注検討者の特典情報を第２のコンシェルジュ端末に照会し、該商品又はサービスにて発注検討者が受けられる特典情報を確定することで、第２のコンシェルジュ端末から商品情報又はサービス情報を提供したときに、より発注検討者にメリットのある形にすることができることを知見し、このようなコンシェルジュシステムが、上記した従来の問題を一挙に解決できるものであることを見出した。
また、本発明者らは、上記知見を得た後、さらに検討を重ねて、本発明を完成させるに至った。
【０００６】
すなわち、本発明は、以下の発明に関する。
［１］  商品又はサービスの発注検討者から通信回線を通じて寄せられた問合せ時における前記発注検討者の通信内容に基づき、商品情報又はサービス情報を通信回線を通じて前記発注検討者に提供するコンシェルジュシステムであって、前記発注検討者の発注検討者端末と通信回線を通じて通信可能に接続されている第１のコンシェルジュ端末と、第１のコンシェルジュ端末と通信回線を通じて通信可能に接続されており、前記商品又はサービスに関する商品情報又はサービス情報を提供可能な第２のコンシェルジュ端末とを備え、第１のコンシェルジュ端末は、第２のコンシェルジュ端末が提供可能な商品又はサービス分野の提供分野情報と、第２のコンシェルジュ端末に接続するためのアクセス情報と、前記発注検討者が受けられる特典情報とを有しており、前記通信内容に対応する第２のコンシェルジュ端末の提供分野情報及びアクセス情報を抽出する抽出手段と、該特典情報のうち、前記商品又はサービスにおいて適用できる特典情報を第２のコンシェルジュ端末に照会する照会手段とを備えていることを特徴とするコンシェルジュシステム。
［２］  通信回線が電話網又はインターネット網を含む前記［１］記載のコンシェルジュシステム。
［３］  第２のコンシェルジュ端末が２以上であり、提供分野情報が、１又は２以上の商品分野と、１又は２以上のサービス分野とを少なくとも含む前記［１］又は［２］に記載のコンシェルジュシステム。
［４］  特典情報が、割引情報を含む前記［１］〜［３］のいずれかに記載のコンシェルジュシステム。
［５］  アクセス情報が、電話番号又はメールアドレスを含む前記［１］〜［４］のいずれかに記載のコンシェルジュシステム。
［６］  第１のコンシェルジュ端末がコンシェルジュサービス業者のものであり、第２のコンシェルジュ端末が商品販売業者又はサービス業者のものであり、コンシェルジュサービス業者と商品販売業者又はサービス業者とは加盟店契約をしており、商品販売業者又はサービス業者がコンシェルジュサービスを行う前記［１］〜［５］のいずれかに記載のコンシェルジュシステム。
［７］  第１のコンシェルジュ端末がコンシェルジュサービス業者のものであり、発注検討者が、会員登録したコンシェルジュサービス業者の会員である前記［１］〜［６］のいずれかに記載のコンシェルジュシステム。
［８］  特典情報が、会員の特典情報を含む前記［７］記載のコンシェルジュシステム。
【発明の効果】
【０００７】
本発明によれば、商品又はサービスの発注検討者が望む商品情報又はサービス情報を、よりメリットがある形にすることができるコンシェルジュシステムを提供することができる。
【図面の簡単な説明】
【０００８】
【図１】本発明の好適なコンシェルジュシステムの概略構成図である。
【図２】本発明の好適なコンシェルジュシステムのフロー図である。
【発明を実施するための形態】
【０００９】
本発明のコンシェルジュシステムは、商品又はサービスの発注検討者から通信回線を通じて寄せられた問合せ時における前記発注検討者の通信内容に基づき、商品情報又はサービス情報を通信回線を通じて前記発注検討者に提供するコンシェルジュシステムであって、前記発注検討者の発注検討者端末と通信回線を通じて通信可能に接続されている第１のコンシェルジュ端末と、第１のコンシェルジュ端末と通信回線を通じて通信可能に接続されており、前記商品又はサービスに関する商品情報又はサービス情報を提供可能な第２のコンシェルジュ端末とを備え、第１のコンシェルジュ端末は、第２のコンシェルジュ端末が提供可能な商品又はサービス分野の提供分野情報と、第２のコンシェルジュ端末に接続するためのアクセス情報と、前記発注検討者が受けられる特典情報とを有しており、前記通信内容に対応する第２のコンシェルジュ端末の提供分野情報及びアクセス情報を抽出する抽出手段と、該特典情報のうち、前記商品又はサービスにおいて適用できる特典情報を第２のコンシェルジュ端末に照会する照会手段とを備えていることを特徴とする。
【００１０】
「商品又はサービス」は、本発明の目的を阻害しない限り特に限定されず、公知の商品又はサービス（役務）であってもよい。
【００１１】
「発注検討者」は、商品又はサービスの発注の検討を行うことができる人であればよく、自然人のみならず、法人や各種団体であってもよい。
【００１２】
「通信回線」は、特に限定されず、通信可能であれば無線回線であっても、有線回線であってもよいが、電話網又はインターネット網を含むことが、双方向で問合せと応答が一連の手段で行えるので好ましい。なお、問合せ時における前記発注検討者の「通信内容」は、特に限定されないが、通常、発注の検討対象となる特定の商品又はサービスを含む。
【００１３】
「第１のコンシェルジュ端末」は、発注検討者の発注検討者端末と通信回線を通じて通信可能に接続されており、第２のコンシェルジュ端末が提供可能な商品又はサービス分野の提供分野情報と、第２のコンシェルジュ端末に接続するためのアクセス情報と、前記発注検討者が受けられる特典情報とを有しており、前記通信内容に対応する第２のコンシェルジュ端末の提供分野情報及びアクセス情報と、該提供分野情報に対応する特典情報とを抽出する手段を有していれば特に限定されない。
【００１４】
「提供分野情報」は、第２のコンシェルジュ端末が提供可能な商品又はサービス分野が含まれていれば特に限定されない。
【００１５】
「アクセス情報」は、第２のコンシェルジュ端末に接続することができるようになる情報であれば特に限定されず、例えばｅ−メールアドレス、住所又は居所、電話番号、特定のＵＲＬとログイン情報（パスワード含む）との組合せを含む情報などであるが、本発明においては、電話番号又はメールアドレスであることが好ましい。
【００１６】
「特典情報」は、発注検討者が受けることができる特典情報であれば特に限定されない。商品又はサービスに対して一律に付与される特典ではなく、発注検討者が受けることができる特典であることが肝要であり、発注検討者が受けられる特典情報を、発注の検討対象である特定の商品又はサービスに適用可能かどうかを予め照会することで、コンシェルジュサービスを利用するメリットを確実により向上させることができ、例えばインターネットで得られる最も安い値段よりもさらに安い値段にすること等が可能となる。特典情報としては、例えば、割引やオプションの付与などが挙げられるが、本発明においては、割引情報であることが好ましい。
【００１７】
「抽出手段」は、第２のコンシェルジュ端末が提供可能な商品又はサービス分野の提供分野情報ならびに第２のコンシェルジュ端末に接続するためのアクセス情報のそれぞれのデータベースから、発注検討者が問い合わせた商品又はサービスについての提供分野情報及びアクセス情報をそれぞれ抽出できさえすれば特に限定されない。
【００１８】
「照会手段」は、前記特典情報のうち、前記商品又はサービスにおいて受けられる特典情報を第２のコンシェルジュ端末に照会できさえすれば特に限定されない。例えば、第１のコンシェルジュ端末に格納されている発注検討者が受けられる特典情報を抽出し、第２のコンシェルジュ端末に特典情報を送信し、第２のコンシェルジュ端末にて、発注検討者が受けられる特典情報のうち、発注の検討対象である特定の商品又はサービスにおいて適用できる特典情報を抽出し、第１のコンシェルジュ端末に送信することなどが挙げられる。
【００１９】
「第２のコンシェルジュ端末」は、商品又はサービスに関する商品情報又はサービス情報を提供可能であれば特に限定されない。本発明においては、第２のコンシェルジュ端末が２以上あり、提供分野情報が、１又は２以上の商品分野と、１又は２以上のサービス分野とを少なくとも含むことが、特典情報をより広範囲により効果的に活用することができるので好ましい。
【００２０】
また、本発明においては、第１のコンシェルジュ端末がコンシェルジュサービス業者のものであり、第２のコンシェルジュ端末が商品販売業者又はサービス業者のものであることが好ましい。このようにすることにより、発注検討者はより効率的に商品又はサービスの発注を検討することができ、特に商品販売業者又はサービス業者が専門的なコンシェルジュサービスを行うことによって、発注検討者は、より専門性の高い詳細な検討を行うこともできる。なお、この場合、コンシェルジュサービス業者と商品販売業者又はサービス業者とは加盟店契約をしているのが好ましい。
【００２１】
また、本発明においては、第１のコンシェルジュ端末がコンシェルジュサービス業者のものであり、発注検討者が、会員登録したコンシェルジュサービス業者の会員であるのが好ましい。このようにすることにより、発注検討者の特典をより充実させて、例えば特典情報として、会員の特典情報を活用して、よりメリットのある形にすることができる。
【実施例】
【００２２】
以下、本発明の図面を用いてより詳細に説明するが、本発明はこれらに限定されるものではない。
【００２３】
図１のコンシェルジュシステムは、通信回線１０を通じて、発注者端末１と、第１のコンシェルジュ端末１１と、第２のコンシェルジュ端末２１とが接続されている。いずれの端末も、パソコン、タブレット、スマートフォン、電話機、ＦＡＸ機、携帯電話機その他携帯端末などである。第１のコンシェルジュ端末１１は、第２のコンシェルジュ情報に紐づけられて提供分野情報、アクセス情報などがデータベース化されている。第２のコンシェルジュ端末２１は、商品又はサービス情報を保有している。
【００２４】
図２に、図１のコンシェルジュシステムのスキームを示す。商品又はサービスの発注検討者の発注者端末１から、商品又はサービスについての問合せが通信回線１０を通じて第１のコンシェルジュ端末１１に送られる（Ｓ１０）。ついで、第１のコンシェルジュ端末１１において、前記通信内容に対応する第２のコンシェルジュ端末の提供分野情報及びアクセス情報が抽出され、さらに、発注検討者の特典情報が抽出され、該特典情報が、前記商品又はサービスにおいて適用できるかどうかの照会情報を第２のコンシェルジュ端末に送る（Ｓ２０）。
【００２５】
第２のコンシェルジュ端末では、前記照会情報に基づき、適用可能な特典情報の照会を行う。照会後、適用可能な特典情報を第１のコンシェルジュ端末に送信する（Ｓ３０）。第１のコンシェルジュ端末は、適用可能な特典情報を第２のコンシェルジュ端末から受け取った後、前記通信内容に対応する第２のコンシェルジュ端末の提供分野情報及びアクセス情報とともに、適用可能な特典情報を発注検討者端末に送る（Ｓ４０）。
【００２６】
発注検討者は、第１のコンシェルジュ端末から第２のコンシェルジュ端末に関するアクセス情報に基づき、商品又はサービスについての問合せを行う（Ｓ５０）。第２のコンシェルジュ端末は、問合せ内容に基づき、商品情報又はサービス情報を発注検討者端末に送信する（Ｓ６０）。
【産業上の利用可能性】
【００２７】
本発明のコンシェルジュシステムは、あらゆる商品又はサービスの分野のコンシェルジュサービスに利用可能である。
【符号の説明】
【００２８】
１    発注者端末
１０    通信回線
１１    第１のコンシェルジュ端末
２１    第２のコンシェルジュ端末
【図１】
2019040298.tif 000003
【図２】
2019040298.tif 000004